(57)【特許請求の範囲】
【請求項１】
容器本体内に中皿収納凹部が設けられ該凹部に対して中皿を出し入れ自在とされている容器において、
前記中皿には、外周面のうちの少なくとも一側面に上下方向に変化する凹状湾曲面からなる係合部が設けられ、該凹状湾曲面からなる係合部は、上下方向の高さが中皿の高さの半分以上であって上下方向の高さよりも凹状の深さが小さくなるなだらかな凹状湾曲面とされ、前記容器本体の中皿収納凹部には、中皿の収納時に前記係合部と対応する対向側壁の内面に係合部と係脱可能な係止部が設けられ、該係止部が内外方向に撓むように弾性を有し、かつ前記凹部内で前記中皿をその中心方向へ押圧付勢して係合部と係止部との係合を強める方向にバックアップすると共に、前記凹部内で中皿が浮き上がるのを阻止可能に構成され、容器本体の前記係止部が対向する少なくとも一方の凹部側壁内面に中皿取り出し操作用の切欠部が設けられていることを特徴とする容器。
【請求項２】
前記中皿の外周側面には、前記係合部がその一側面とその反対側面又は外周側面全面に設けられていることを特徴とする請求項１記載の容器。
【請求項３】
前記容器本体の中皿収納凹部に設けられた係止部は、前記凹部の側壁内面からその内方へ突出する左右一対の凸状曲面からなる係止突起を備えていることを特徴とする請求項１又は２に記載の容器。
【請求項４】
容器本体の中皿収納凹部に設けられた前記係止部のうち少なくとも一方が、前記凹部の側壁内面に三方を取り囲むように設けられたコ字状の切り込みと、その背面側の前記容器本体外周側面との間に形成された空間とにより、該切り込み内方で前記容器本体に対して内外方向に撓むように形成された弾性片とされていることを特徴とする請求項１〜３のいずれかに記載の容器。
【請求項５】
前記容器本体が、外容器体とこれに嵌合された無底の中枠とからなり、該中枠内側面に前記係止部が設けられていることを特徴とする請求項１〜４のいずれかに記載の容器。
【発明の詳細な説明】
【０００１】
【発明の属する利用分野】
本発明は、例えば、化粧料等を詰めた中皿を容器本体内へ出し入れ自在としたコンパクトなどの容器に関するものである。
【０００２】
【従来の技術】
この種の容器として、容器本体と、この容器本体の上端開口を塞ぐ蓋体とを有し、蓋体が容器本体の後端側で開閉自在にヒンジ結合されると共に、容器本体の前端側で係脱自在とされているものがある。容器本体の内部には中皿収納凹部が設けられており、この中皿収納凹部に対して中皿が出し入れ自在とされている。この中皿収納凹部には、中皿に対する係止保持手段が設けられており、容器本体からの中皿の自然脱出を防止できるようになっている。
【０００３】
この容器では、容器本体に対して中皿を出し入れする扱い方が判り難くまた扱い難いという不具合や、中皿に対する係止保持手段が摩擦抵抗方式（係止突起同士の乗り越え方式）のために磨耗による中皿のガタツキや外れを招来するという不具合や、係止保持手段による中皿保持力が乏しいために落下時等において外力が作用すると中皿が飛びだすという不具合があった。
【０００４】
そこで、従来、これらの不具合を解消するものとして、容器本体において、中皿収納凹部の一つの側壁内面に第１係合突起を設け、これと対向する側壁内面には内外方向撓ませうる弾片を突出状に設け、更にこの弾片が設けられた側壁の両端隅角部に第２係合突起を設け、これらに対して、中皿にはその外周面全周に、第１係合突起及び第２係合突起との係合を可能にする係止周溝を設けたものが提案されている（特開平８−２７５８１７号公報参照）。
【０００５】
すなわち、中皿収納凹部へ中皿を入れる際には、中皿をその外周面で前記弾片をその弾性に抗しつつ押し込ませ、そのうえで中皿の係止周溝に第１係合突起及び第２係合突起を四方から係合させるようにするものであった。従って、中皿は中皿収納凹部内で弾片による弾性を受けて片寄せ状に付勢保持されることになり、これによって確実な係止状態を得ると共に、出し入れの容易化を図ろうとするものであった。
【０００６】
【発明が解決しようとする課題】
しかし、上記公報記載の従来技術では、中皿の外周面全面に係止周溝が設けられており、またこの係止周溝は溝幅が１ｍｍ程度の細いものであったため、この中皿に内容物を充填・圧縮するときに、この内容物が中皿から漏れ出て（この漏れ出た状態下の内容物は粉体となっている）、これが中皿の外周面に付着すると共に係止周溝にも入り込んでしまうという難点があった。
【０００７】
そのため、この内容物の充填作業には、充填後における中皿外周面の拭き取り作業が必須不可欠とされているが、係止周溝に入り込んだ内容物（粉体）の除去が非常に面倒で作業時間が長くなり、しかも完全な除去は困難であった。
さらに、中皿の係止周溝に内容物（粉体）が入り込むという不具合は、この容器の使用時にも、上記充填時と同様な問題が起こり得るものであり、またこれを除去せずに放置すれば容器の見栄えが悪くなるという問題があった。
【０００８】
本発明は、上記事情に鑑みてなされたもので、容器本体内での中皿の確実な保持と中皿の出し入れの容易化を図り、中皿に対する内容物の充填時及び使用時に内容物が中皿外周面に付着し難くし、且つ付着するようなことがあってもこれを簡単且つ確実に除去できるようにした容器を提供することを目的とする。
【０００９】
【課題を解決するための手段】
本発明では、上記目的を達成するために、次の技術的手段を講じた。
即ち、本発明に係る容器は、容器本体内に中皿収納凹部が設けられ該凹部に対して中皿を出し入れ自在とされている容器において、前記中皿には、外周面のうちの少なくとも一側面に上下方向に変化する凹状湾曲面からなる係合部が設けられ、該凹状湾曲面からなる係合部は、上下方向の高さが中皿の高さの半分以上であって上下方向の高さよりも凹状の深さが小さくなるなだらかな凹状湾曲面とされ、前記容器本体の中皿収納凹部には、中皿の収納時に前記係合部と対応する対向側壁の内面に係合部と係脱可能な係止部が設けられ、該係止部が内外方向に撓むように弾性を有し、かつ前記凹部内で前記中皿をその中心方向へ押圧付勢して係合部と係止部との係合を強める方向にバックアップすると共に、前記凹部内で中皿が浮き上がるのを阻止可能に構成され、容器本体の前記係止部が対向する少なくとも一方の凹部側壁内面に中皿取り出し操作用の切欠部が設けられている点に特徴がある。
【００１０】
従って、容器本体の中皿収納凹部内へ中皿を入れるには、まず、中皿の係合部を中皿収納凹部の係止部に対向させ、中皿を前記係止部へその弾性に抗して押しつけるようにして前記凹部へはめ込むと、係合部が係止部に係止される。このとき、前記係止部が容器外方向に撓み、係合と同時に弾性に抗した係止部の付勢力が中皿の凹状湾曲面からなる係合部に作用し、中皿は、中皿収納凹部内でその中心方向への付勢力により押圧保持される。結局、この係止部の前記付勢力が、係合部と係止部との係合をバックアップし、中皿を容器本体の前記凹部に確実に保持すると共に、中皿収納凹部へ収納した中皿が浮き上がるのを確実に阻止するように作用する。
【００１１】
従って、中皿の前記凹部に対する脱着操作が容易で、かつ係合部や係止部の磨耗を原因とした中皿の外れは防止され、また落下時等の外力作用時に中皿が飛びだすことも防止されるなど、確実な係止状態が得られる。また、中皿収納凹部に対する中皿の出し入れ操作も容易になる。
すなわち、中皿には、わざわざ、その外周面に全周にわたるような係止周溝を設けるものではない。
【００１２】
このため、中皿に対して内容物（粉体等）を充填するときや、この容器の使用時において、中皿から内容物が漏れ出たときに、中皿の外周面に対して内容物が付着し難くなり、また仮に付着したととても簡単且つ確実に拭き取ることができる。
また、本発明に係る容器は、前記中皿の外周側面には、前記係合部がその一側面とその反対側面又は外周側面全面に設けられた構成とすることができる。この場合、中皿収納凹部の形に対応させて中皿を嵌め込むだけで、容易に中皿を前記凹部に嵌合でき、非常に使い勝手がよく便利である。
【００１３】
そして、本発明に係る容器は、前記容器本体の中皿収納凹部に設けられた係止部が、前記凹部の側壁内面からその内方へ突出する左右一対の凸状曲面からなる係止突起を備えている構成とすることができる。この場合、前記係合部と係止部の係合関係が凹凸曲面によるものであるから、摩擦抵抗力が減少し中皿の着脱操作が容易となる上、着脱操作の繰り返しにより両者の摩耗も減少され、安定した係止強度を確保でき、前記収納凹部への中皿の嵌合操作を円滑かつ確実に行うことができる。
【００１４】
また、本発明に係る容器は、容器本体の中皿収納凹部に設けられた前記係止部のうち少なくとも一方が、中皿収納凹部の側壁内面に三方を取り囲むように設けられたコ字状の切り込みと、その背面側の前記容器本体外周側面との間に形成された空間とにより、該切り込み内方で前記容器本体に対して内外方向に撓むように形成された弾性片とされている点に特徴がある。
【００１５】
かかる構成を採用することで、前記係止部となる弾性片は、容器本体の内外方向への撓み即ち弾性変形が確実になり、中皿に適度の付勢力を作用させることができ、係止部の中皿保持及び浮き上がり阻止機能を十分に発揮させることが可能である。
さらに、本発明に係る容器は、前記容器本体が、外容器体とこれに嵌合された無底の中枠とからなり、該中枠内側面に前記係止部が設けられている点に特徴がある。この構成によれば、部品点数が増えるが、外容器体の下面に係止部を形成する前記空間成形型の抜き孔がなくなり、外観の向上を図ることができる。
【００１６】
【発明の実施の形態】
以下、図面に基づいて本発明の実施の形態を説明する。
図１乃至図８は、本発明に係る容器１の第１実施形態を示している。
この容器１は、容器本体２と、この容器本体２の上端開口を塞ぐ蓋体３と、容器本体２の内部に設けられた中皿収納凹部４に対して出し入れ自在とされた中皿５とにより構成されている。
【００１７】
前記容器本体２の後端部には、蓋体３を開閉自在にヒンジ結合する枢支軸（図示省略）が設けられていると共に、容器本体２の前端部には、蓋体３の閉止状態を係合保持する係合手段６が設けられている。また、図示は省略するが、容器本体２又は蓋体３には、蓋体３の係合閉止状態を解除する操作部及び蓋材３を閉止状態から開方向へ付勢する弾性部材が組み込まれている。
【００１８】
前記容器本体２は、合成樹脂材により平面視略長方形状の上端が開口した浅い箱形に形成されており、底７、前壁８及び後壁９、更に左右側壁１０，１１が一体的に備えられている。そして、前記後壁９の中央部に、蓋３とのヒンジ結合部１２が設けられている。また前壁８の中央部には階段状の凹部１３が設けられており、この凹部１３内に係合手段６を構成する係合部６Ａが設けられている。
【００１９】
前記蓋体３は、適宜合成樹脂材により形成されており、その後端部に容器本体２のヒンジ結合部１２と組み付けられるヒンジ部（図示略）が設けられている。また、蓋体３の前端部には、図示していないが、左右方向中央部から容器本体２側の係合部６Ａへ向けて突出する爪片が突設されており、この爪片が係合部６Ａと係合することで前記係合手段６を構成するようになっている。
【００２０】
前記中皿５は、適宜合成樹脂材により形成されており、浅形の略方形皿状を呈している。この中皿５の外周側面には、四周全面に亘って、それぞれ上下方向に変化する凹状湾曲面からなる係合部１４が設けられている。即ち、この係合部１４は、その上下方向中央部が中皿５の中心側に窪み、この窪みの上下部分面が係合面とされている。なお、この係合部１４は、図８に示しているように、一つの外周側面とその反対側の側面に設けたものであってもよい。
【００２１】
前記容器本体２において、中皿収納凹部４は、容器本体２の左右方向（長手方向）中央部を前後方向へ向けた仕切壁１５によって区画することにより、この仕切壁１５の一方側（左側）に凹部状に形成されている。すなわち、この中皿収納凹部４は、容器本体２における前壁８及び後壁９のそれぞれ略左半分の領域と、左側壁１０と、仕切壁１５との合計４壁を、この中皿収納凹部４の四周を取り囲む側壁として兼用させるように形成されたものである。
【００２２】
なお、容器本体２内において、仕切壁１５の他方側（右側）に形成される凹状部は、パフ収納凹部１７として使用可能になっている。また、仕切壁１５の前後方向中央部には、上端を開放させた中皿取り出し操作用切欠部１８が設けられており、中皿収納凹部４へ中皿５を収納した状態から中皿５を取り外すときに、該切欠部１８から中皿５の外周面に手指をあてがって、中皿５を押し上げることにより、中皿の取り出し操作を容易に行い得るようにしてある。
【００２３】
前記中皿収納凹部４は、中皿５を収納可能となるようにやや大きめの平面形状及び深さを有して形成されていることは言うまでもないが、中皿５の収納状態において、この中皿５に平面方向及び厚さ方向への大きなガタツキを生じさせない程度の寸法範囲で仕上げられている。
そして、中皿収納凹部４は、その四周の側壁のうち、容器本体２の左側壁１０や仕切壁１５と兼用されている対向両内側壁に対して、中皿５の各係合部１４と対応する各内面５Ａ，５Ｂに、それぞれ各係合部１４と係脱可能な係止部２０，２１が設けられている。
【００２４】
ここで、中皿５の係合部１４と、容器本体２の中皿収納凹部４における係止部２０，２１との係合関係について説明する。
中皿５の係合部１４は、中皿５の外周側面全面に設けられるもの相互が同じ形で、且つ同じ位置付けになっており、中皿収納凹部４に対して中皿５を収納するときの左右向きが逆になっても、何ら問題なく収納できるようになっている。
【００２５】
なお、中皿５の平面形状及び中皿収納凹部４の平面開口形状を正方形とするとき、中皿５の係合部１４は、中皿５の外周面全部（四方面）に対して同じ形、同じ位置付けで設けてもよい。
これに対し、容器本体２の中皿収納凹部４における係止部２０，２１は、図１と図２とから明らかなように、互いの基本的な構成・形状、及び左側壁１０や仕切壁１５に対する位置付け等は同じであるが、左側壁１０では係止部２０の形成部位が弾性片２５とされて内外方向へ撓むようにされているのに対して、仕切壁１５側では係止部２１の形成部位が固定されている点で、両者は異なるものとなっている。
【００２６】
ただ、この弾性片２５の有無を除けば係止部２０，２１は同じであるので、以下では、主に係止部２０についてのみその詳細を説明する。
この係止部２０では、左側壁１０の前後方向中央部を境としたセンター振り分けで、前後方向に所定間隔をおいて設けられた一対の係止突起２０Ａ，２０Ｂ（係止部２１では係止突起２１Ａ，２１Ｂとなる）を有している。
【００２７】
これら係止突起２０Ａ，２０Ｂは、いずれも、左側壁１０の内面から中皿収納凹部４内方へ向けて突出しており、前記係止突起２０Ａ，２０Ｂの側面形状は、前記凹部内面と平行な横軸をもつ半円形となっている。
このようなことから、係合部１４と係止部２０（係止突起２０Ａ，２０Ｂ）とを係合させたとき、これら両者は、前記凹状湾曲面と前記係止突起２０Ａ，２０Ｂの円筒面とを当接させるから、中皿収納凹部４へ収納された中皿５は浮き上がりが阻止される。
【００２８】
なお、前記凹部４の左側壁１０（中皿収納凹部４内を向く内面）には、上述のように係止部２０（即ち、係止突起２０Ａ，２０Ｂ）の形成部位に対応してその背面に弾性片２５が設けられているが、この弾性片２５は、図４及び図５に示すように、左側壁１０を、内板１０Ａと外板１０Ｂとが上端同士のみ連結された内外二重壁構造として、両板間に空間２７を確保させ、そのうえで内板１０Ａに倒立したＴ字状を描くように切り込み２８を形成することにより、この切り込み２８の内側に（倒立したＴ字状の弾性片２５として）残置させたものである。
【００２９】
従って、このように形成された弾性片２５は、上端側を固定端とし下端側を自由端として、内外方向に可撓性を有するものである。弾性片２５の下端は中皿収納凹部４の底面から浮き上がっており、撓み動作が阻害されることはない。
弾性片２５の弾力により、中皿収納凹部４内へ収納された中皿５は、仕切壁１５へ向って押圧付勢されることになる。従って、微小ではあるが、左側壁１０と中皿５との間には、中皿５を取り出すときの押し縮め分としての隙間が確保される。
【００３０】
この第一実施形態において、容器本体２の中皿収納凹部４に中皿５を収納させる場合、まず中皿５を中皿収納凹部４の上方から左側壁１０へ向けて斜めに落とし込むようなかたちで差し込む。
これによって必然的に中皿５の斜め下方を向いている方（左側）の係合部１４が、中皿収納凹部４の係止部２０と係合するようになるので、このまま中皿５の未だ中皿収納凹部４内に嵌まっていない方（右側）を中皿収納凹部４内へと押し込む。このとき、前記係合部１４は、凹状湾曲面とされているので、摩擦抵抗が少なく、容易にかつ円滑に嵌め込むことができる。
【００３１】
これにより、前記係止部２０が中皿５に押されることで弾性片２５が撓みを生じ、中皿５の反対側の係合部１４がこれに対向する中皿収納凹部４の他方の係止部２１に対して抵抗なく、円滑に係合するようになる。すなわち、この段階で中皿収納凹部４に対して中皿５が収納されたことになる。
上述のように、係合部１４と係止部２１とが係合したとき、前記弾性片２５はそれ自体の弾性回復に伴って撓みを元に戻そうとして付勢力が作用するので、中皿５はこの弾性片２５による弾性を受けて中皿収納凹部４内で仕切壁１５側へ向けて押圧付勢される状態（即ち、係合部１４と係止部２０，２１との係合がバックアップされる状態）を保持するようになる。
【００３２】
また、前記係合部１４と前記係止部２０，２１は、凹状湾曲面と凸状円弧面との組み合わせによる係合であるから、摩擦抵抗力が減少し、中皿の着脱操作の繰り返しにより両者の当接面が摩耗するのも減少されるので、安定した係止強度を保つことができる。
このようにして、中皿５は中皿収納凹部４からの外れが防止され、また落下時等における外力の作用によって、中皿が中皿収納凹部４から飛びだすことも防止される。
【００３３】
一方、中皿５を中皿収納凹部４から取り出す場合は、仕切壁１５の切欠部１８から手指を差し込んで中皿５の外周側面に当て、中皿５の外周面を左側壁１０へ向けて前記係止部２０の弾性に抗して押しながら、上方へ持ち上げるようにすることにより、弾性片２５が中皿５に押されて撓むようになり、従って中皿５の係合部１４と中皿収納凹部４の係止部２１との係合が外れ、中皿５はそのまま中皿収納凹部４から取り出すことができる。このとき、前記仕切壁１５に切欠部１８が設けられているので、手指が掛かり易く脱着操作が容易である。
【００３４】
このような中皿５にあって、その外周面に係止周溝は無いので、この中皿５に内容物（粉体等）を充填するときや、この容器１の使用時に中皿５から内容物が漏れ出るようなことがあったとしても、この内容物は、そもそも中皿５の外周面に付着し難い状態にあり、また仮に付着したとしても簡単且つ確実に拭き取ることができる。
【００３５】
図９は、本発明に係る容器１の第２実施形態を示している。
この第２実施形態の容器１において、上記第１実施形態と最も異なるところは、容器本体２が、その内方がガランとした何もない空間に形成した全体が平皿状を呈する外容器体２Ａと、該外容器体２Ａ内に嵌合される底なしの方形中枠２Ｂとにより構成されている点であり、別部材として形成した前記中枠２Ｂの内側に中皿収納凹部４が形成されている。
【００３６】
前記中枠２Ｂは、合成樹脂材により底なしの略長方枠形に形成されており、その大きさ及び外形輪郭は外容器体２内に嵌合できるようになっている。そして、この中枠２Ｂには、薄肉側壁３７の上端縁に外向きの鍔３６が全周に亘って設けられている。また、左右方向（長手方向）中央部となる枠内方には、対向する側壁３７間を前後方向に繋ぐようにして仕切壁１５が設けられており、この仕切壁１５の一方側（左側）に中皿収納凹部４が形成されており、他方側（右側）にパフ収納凹部１７が形成されている。
【００３７】
このように、この第２実施形態における中皿収納凹部４は、前記中枠２Ａの四周を取り囲む側壁３７の約半周と仕切壁１５とによって形成されている。また、該中枠２Ｂの鍔３６には、外容器体２Ａのヒンジ結合部１２及び係合部６Ａ形成用の階段状凹部１３に対応して切欠部３８，３９が設けられており、これらとの干渉を回避させてある。
【００３８】
なお、係止部２０，２１は、上記したように中皿収納凹部４の側壁として機能することになる中枠２Ｂの側壁３７とこれに対向する仕切壁１５に設けられている。これら係止部２０，２１の構成（弾性片２５を含む）、形状、中皿５の係合部１４との位置関係、及び作用効果等は第１実施形態と同じであり、また仕切壁１５の前後方向中央部に中皿５の取り出しを容易化させるための上部開放切欠部１８が設けられていること等も第１実施形態と同じである。従って、これらに関しての詳細説明は省略する。
【００３９】
また、外容器体２Ａに対する中枠２Ｂの固定は、接着、溶着、無理嵌め、係合止め等によって行うことができる。
なお、本第２実施形態において、弾性片２５を形成する切り込み２８は、前記中枠２Ｂの側壁３７を内方又は外方から見てコ字状のスリットとして、中枠２Ｂの下端縁を開放しない構成としたものを示したが、この下端縁を開放させるようにしてもよい。
【００４０】
図１０及び図１１は、本発明に係る容器１の第三実施形態の要部特に容器本体２の係止部２０の構造を示している。
この第三実施形態の容器本体２は、左側壁１０によって兼用される中皿収納凹部４の側壁（内板１０Ａ）に対し、前記係止部２０の係止突起２０Ａ，２０Ｂを弾性片２５と共に形成させるうえで、前記内板１０Ａに、個々の係止突起２０Ａ，２０Ｂにおける三方を取り囲むようにコ字状の切り込み４２を設けている。
【００４１】
すなわち、個々の係止突起２０Ａ，２０Ｂが、それぞれ独立した弾性片２５を具備した状態となっており、これら係止突起２０Ａ，２０Ｂに対してそれぞれに独立して弾性が与えられるようになっている。
従って、中皿収納凹部４に対する中皿５の出し入れ時には、中皿５に多少の方向違い（ズレ）が生じているときでも、係止突起２０Ａ，２０Ｂ間での可撓量の違いでこれを吸収でき、結果として中皿５の出し入れが容易になり、また中皿収納凹部４に対する中皿５の収納状況下では、係止突起２０Ａ，２０Ｂが自在に撓むことでそれだけ振動や衝撃に対して吸収性が良好になるという利点がある。
【００４２】
このように、第三実施形態においても、第一実施形態と同様の作用効果を期待することができる。
本発明は、上記各実施形態に限定されるものではなく、容器本体２を前後方向に長くして、前後方向中央部に左右方向に延びる仕切壁１５を設けた構成とすることができる。また、前記仕切壁１５に設けている係止部２１は、他の形状を採用したり、これを省略することも可能である。
【００４３】
さらに、前記中皿５の係合部１４と中皿収納凹部４の係止部２０，２１との間の係合関係は、それらの採用形状を相対的に逆にさせることもできる。その他、実施の態様に応じて適宜変更が可能である。
【００４４】
【発明の効果】
以上の説明から明らかなように、本発明に係る容器では、容器本体内に設けられた中皿収納凹部に中皿を収納させる場合に、中皿の外周面に形成された滑らかな凹状湾曲面からなる係合部と、これに対応する中皿収納凹部の係止部とを係合させ、この係合部分に容器本体の内外方向への弾性を持たせているので、中皿は中皿収納凹部内でその中心方向へ押圧付勢され、曲面による係合であるため確実な係止保持状態が得られる。しかも、係合部と係止部の摩擦抵抗が減少されるため、中皿の脱着操作が容易でかつ操作の繰り返しによる係止部の磨耗も減少し、安定した係止強度を確保することが可能である。また、摩耗を原因とした中皿のガタツキや外れ、落下時等の外力作用による中皿の飛びだし等は防止され、また、中皿収納凹部に対する中皿の浮き上がりを阻止することができる。
【００４５】
さらに、中皿の外周面に対してわざわざ係止周溝を設ける必要はなくなり、その結果、中皿に対する内容物（粉体等）の充填時やこの容器の使用時に、中皿から内容物が漏れ出たとしても、中皿の外周面に内容物が付着し難くなり、また仮に付着したとしても簡単且つ確実に拭き取ることができる。
【図面の簡単な説明】
【図１】  本発明に係る容器の第１実施形態を示す分解斜視図である。
【図２】  図１に示した容器本体を左右逆方向から示した斜視図である。
【図３】  図１のＡ−Ａ線断面図である。
【図４】  図３のＢ−Ｂ線断面図である。
【図５】  図４のＣ−Ｃ線断面図である。
【図６】  同実施形態における容器の中皿収納凹部に中皿を嵌る状態を示す部分断面図である。
【図７】  同実施形態における中皿を示す側面図である。
【図８】  同中皿の他の構造例を示す側面図である。
【図９】  本発明に係る容器の第二実施形態を示す分解斜視図である。
【図１０】  本発明に係る容器の第３実施形態の要部を示す断面図（図１のＡ−Ａ線断面相当図）である。
【図１１】  図１０のＤ−Ｄ線断面図である。
【符号の説明】
１    容器
２    容器本体
２Ａ  外容器体
２Ｂ  中枠
４    中皿収納凹部
５    中皿
５Ａ  中皿の外周面
５Ｂ  中皿の外周面
１４    係合部
１０    容器本体の左側壁（中皿収納凹部の側壁の一つを兼ねるもの）
１５    容器本体の仕切壁（中皿収納凹部の側壁の一つを兼ねるもの）
１８    切欠部
２０    係止部
２０Ａ  係止突起
２０Ｂ  係止突起
２１    係止部
２１Ａ  係止突起
２１Ｂ  係止突起
２５    弾性片
２７    空間
２８    切り込み
４２    切り込み
【図１】
0004606542.tif 000002
【図２】
0004606542.tif 000003
【図３】
0004606542.tif 000004
【図４】
0004606542.tif 000005
【図５】
0004606542.tif 000006
【図６】
0004606542.tif 000007
【図７】
0004606542.tif 000008
【図８】
0004606542.tif 000009
【図９】
0004606542.tif 000010
【図１０】
0004606542.tif 000011
【図１１】
0004606542.tif 000012